(57)【要約】【課題】アクセサリランプの小型化とワンタッチでの簡単な取り付けが可能なアクセサリランプの取付構造を提供すること。【解決手段】アクセサリランプ１を備えるファスナピン２を、パネル４の孔４ａに挿入保持されたファスナグロメット３内に差し込んで該ファスナピン２を前記アクセサリランプ１と共に前記ファスナグロメット３に固定するとともに、前記ファスナグロメット３の複数の弾性片３Ｂを径方向外方へ押し広げて該ファスナグロメット３を前記パネル４に固定することによって、前記アクセサリランプ１を前記パネル４に取り付けると同時に、前記ファスナピン２に設けたランプ側端子８ａ，８ｂが前記ファスナグロメット３に設けた電源側端子１０ａ，１０ｂに接触して両者が電気的に導通するよう構成する。【選択図】図１
2015222647.tif 000002
【特許請求の範囲】
【請求項１】
アクセサリランプを備えるファスナピンを、パネルの孔に挿入保持されたファスナグロメット内に差し込んで該ファスナピンを前記アクセサリランプと共に前記ファスナグロメットに固定するとともに、前記ファスナグロメットの複数の弾性片を径方向外方へ押し広げて該ファスナグロメットを前記パネルに固定することによって、前記アクセサリランプを前記パネルに取り付けると同時に、
前記ファスナピンに設けたランプ側端子が前記ファスナグロメットに設けた電源側端子に接触して両者が電気的に導通するよう構成したことを特徴とするアクセサリランプの取付構造。
【請求項２】
前記ランプ側端子を前記ファスナピンの周方向に複数設け、前記電源側端子を前記ファスナグロメットの周方向に複数設けたことを特徴とする請求項１記載のアクセサリランプの取付構造。
【請求項３】
前記ランプ側端子を前記ファスナピンの軸方向に複数設け、前記電源側端子を前記ファスナグロメットの軸方向に複数設けたことを特徴とする請求項１記載のアクセサリランプの取付構造。
【請求項４】
前記パネルを導電性金属で構成し、前記電源側端子と前記パネルとを電気的に導通させたことを特徴とする請求項１〜３の何れかに記載のアクセサリランプの取付構造。
【請求項５】
前記ファスナグロメットの弾性片に放熱部材を取り付けたことを特徴とする請求項１〜４の何れかに記載のアクセサリランプの取付構造。
【請求項６】
前記アクセサリランプの光源として、発光色の異なる複数のＬＥＤを用いたことを特徴とする請求項１〜５の何れかに記載のアクセサリランプの取付構造。
【発明の詳細な説明】
【技術分野】
【０００１】
本発明は、アクセサリランプのパネルへの取付構造に関するものである。
【背景技術】
【０００２】
近年、車室内に設けられる計器用インジケータランプ等のアクセサリランプの光源には、高輝度で耐久寿命が長く、省電力である等の利点を有するＬＥＤ（発光ダイオード）が用いられつつある。斯かるアクセサリランプの従来の取付構造の一例を図６に示す（例えば、特許文献１参照）。
【０００３】
即ち、図６はアクセサリランプの従来の取付構造の一例を示す図であって、アクセサリランプ１０１は、その胴部１０１Ａがパネル１０４に形成された円孔１０４ａに車室側（図６の左側）から差し込まれる。この状態では、アクセサリランプ１０１の発光部１０１Ｂは、パネル１０４の外面側の車室内に露出し、胴部１０１Ａはパネル１０４の内面側の車体内に臨んでいる。尚、アクセサリランプ１０１の胴部１０１Ａにはネジ部１０１ａが形成されており、胴部１０１Ａの端部からは複数本の電源コード１１５が延び、各電源コード１１５の端部には端子１１６がそれぞれ接続されている、
【０００４】
而して、電源コード１１５に通されたナット１１７をアクセサリランプ１０１の胴部１０１Ａに形成されたネジ部１０１ａにねじ込めば、アクセサリランプ１０１がパネル１０４をナット１１７と共に挟持することによってパネル１０４に取り付けられ、その発光部１０１Ｂが車室内に露出して必要に応じて点灯する。
【先行技術文献】
【特許文献】
【０００５】
【特許文献１】特開２００５−１７００７９号公報
【発明の概要】
【発明が解決しようとする課題】
【０００６】
図６に示すアクセサリランプ１０１の従来の取付構造においては、アクセサリランプ１０１を電源コード１１５と共にパネル１０４の円孔１０４ａに通すためには、アクセサリランプ１０１の胴部１０１Ａの外径Ｄが電源コード１１５の図示のｄ寸法よりも大きくなければならない（Ｄ＞ｄ）。
【０００７】
ところで、光源としてＬＥＤを使用する自動車用アクセサリランプ１０１は、年々小型化する傾向にあり、これに使用される自動車用の電源コード１１５は、民生品等の機器内部配線で使用されるものとは異なってよりも被覆が厚いために仕上がり外径が大きくなっている。このため、アクセサリランプ１０１の胴部１０１Ａの外径Ｄが大きくなり、これに伴ってパネル１０４の円孔１０４ａやナット１１７の外径も大きくなる。このようにアクセサリランプ１０１の胴部１０１Ａの外径Ｄやナット１１７の外径が大きくなると、アクセサリランプ１０１の小型化を実現することができないばかりか、アクセサリランプ１０１の車両への取付場所に制約を受け、最適な位置にアクセサリランプ１０１を取り付けることができなくなる。
【０００８】
又、パネル１０４に大きな径の円孔１０４ａを形成するには、入手困難な特殊なドリル刃を必要とする他、電動ドリル工具のトルクが大きくなければ綺麗な円孔１０４ａを開けることができないという問題もある。
【０００９】
更に、アクセサリランプ１０１から延びる電源コード１１５が長い場合には、この長い電源コード１１５をパネル１０４の円孔１０４ａに通したり、端部に端子１１６が接続された電源コード１１５をパネル１０４の裏側でナット１１７に通した後に工具を用いてナット１１７を締め付ける作業は容易ではないという問題があった。特に、パネル１０４を取り外すことができない場合には、前記作業はパネル１０４の裏側の狭い空間での手探り作業となり、作業性が甚だ悪いものとなっていた。
【００１０】
本発明は上記問題に鑑みてなされたもので、その目的とする処は、アクセサリランプの小型化とワンタッチでの簡単な取り付けが可能なアクセサリランプの取付構造を提供することにある。
【課題を解決するための手段】
【００１１】
上記目的を達成するため、請求項１記載の発明は、アクセサリランプを備えるファスナピンを、パネルの孔に挿入保持されたファスナグロメット内に差し込んで該ファスナピンを前記アクセサリランプと共に前記ファスナグロメットに固定するとともに、前記ファスナグロメットの複数の弾性片を径方向外方へ押し広げて該ファスナグロメットを前記パネルに固定することによって、前記アクセサリランプを前記パネルに取り付けると同時に、前記ファスナピンに設けたランプ側端子が前記ファスナグロメットに設けた電源側端子に接触して両者が電気的に導通するよう構成したことを特徴とする。
【００１２】
請求項２記載の発明は、請求項１記載の発明において、前記ランプ側端子を前記ファスナピンの周方向に複数設け、前記電源側端子を前記ファスナグロメットの周方向に複数設けたことを特徴とする。
【００１３】
請求項３記載の発明は、請求項１記載の発明において、前記ランプ側端子を前記ファスナピンの軸方向に複数設け、前記電源側端子を前記ファスナグロメットの軸方向に複数設けたことを特徴とする。
【００１４】
請求項４記載の発明は、請求項１〜３の何れかに記載の発明において、前記パネルを導電性金属で構成し、前記電源側端子と前記パネルとを電気的に導通させたことを特徴とする。
【００１５】
請求項５記載の発明は、請求項１〜４の何れかに記載の発明において、前記ファスナグロメットの弾性片に放熱部材を取り付けたことを特徴とする。
【００１６】
請求項６記載の発明は、請求項１〜５の何れかに記載の発明において、前記アクセサリランプの光源として、発光色の異なる複数のＬＥＤを用いたことを特徴とする。
【発明の効果】
【００１７】
請求項１記載の発明によれば、アクセサリランプを備えるファスナピンを、パネルの孔に挿入保持されたファスナグロメットに差し込むだけの簡単な作業によってアクセサリランプをファスナピンとファスナグロメットを介してパネルに作業性良くワンタッチで簡単に取り付けることができる。又、アクセサリランプの取り付けと同時に、ファスナピンに設けたランプ側端子とファスナグロメットに設けた電源側端子とが接触して両者が導通し、アクセサリランプへの電源の供給が可能となるため、従来用いられていたアクセサリランプから延びる電源コードが不要となり、アクセサリランプの小型化が図られるとともに、電源コードをパネルの孔に通す等の面倒な作業を要することなく、アクセサリランプをパネルに作業性良く簡単に取り付けることができる。
【００１８】
請求項２記載の発明によれば、アクセサリランプを取り付ける際にファスナピンをファスナグロメットに対して周方向に位置決めすることによって、該ファスナピンに設けたランプ側端子をファスナグロメットに設けた電源側端子に確実に接触させて両者を電気的に導通させることができる。
【００１９】
請求項３記載の発明によれば、ファスナグロメットに設けた複数の電源側端子を周方向の所定範囲に亘って配置すれば、ファスナピンのファスナグロメットに対する周方向の位置決めを要することなく、該ファスナピンに設けたランプ側端子とファスナグロメットに設けた電源側端子とを確実に接触させて両者を電気的に導通させることができ、アクセサリランプの取付構造が一層簡単化される。
【００２０】
請求項４記載の発明によれば、アクセサリランプを取り付けると、ファスナピンに設けたランプ側端子の負極が導電性金属製のパネルの孔の内周に接触して電流がパネルへと流れるため、電源側端子の負極に接続されるアース線が不要となり、取付構造の単純化と結線作業の省力化を図ることができる。
【００２１】
請求項５記載の発明によれば、アクセサリランプの点灯によって発生する熱を、ファスナグロメットの弾性片に取り付けた放熱部材から効果的に放熱させることができ、アクセサリランプの温度上昇を抑えて光源の耐久性を高めることができる。
【００２２】
請求項６記載の発明によれば、複数のＬＥＤを同時に点灯させてアクセサリランプを複数の色に発光させたり、互いに導通する端子を切り替えて所望の色に発光させることができる。
【図面の簡単な説明】
【００２３】
【図１】本発明に係る取付構造におけるアクセサリランプの取付前の状態を示す図である。
【図２】本発明に係る取付構造におけるアクセサリランプの取付後の状態を示す図である。
【図３】図１のＡ−Ａ線断面図である。
【図４】図１のＢ−Ｂ線断面図である。
【図５】ファスナグロメットの平面図である。
【図６】アクセサリランプの従来の取付構造の一例を示す図である。
【発明を実施するための形態】
【００２４】
以下に本発明の実施の形態を添付図面に基づいて説明する。
【００２５】
図１は本発明に係る取付構造におけるアクセサリランプの取付前の状態を示す図、図２は同アクセサリランプの取付後の状態を示す図、図３は図１のＡ−Ａ線断面図、図４は図１のＢ−Ｂ線断面図、図５はファスナグロメットの平面図である。
【００２６】
図１及び図２に示すアクセサリランプ１は、車両の車室内に配置される車載用であって、ファスナピン２の上端の円板状の台座２Ａに固定されており、後述のようにファスナピン２とファスナグロメット３によってパネル４にワンタッチで作業性良く簡単に取り付けられる。このアクセサリランプ１は、透明や乳白色などの透過性よ有する半球形状（一例として）のレンズ５の内部に、基板６と該基板６上に実装された光源であるＬＥＤ７を収容して構成されている。尚、図示しないが、基板６には駆動回路や配線パターン等が実装されている。
【００２７】
前記ファスナピン２は、硬質樹脂によってピン状に一体成形されており、上端の前記台座２Ａから垂直下方に一体に延びる円柱状の本体部２Ｂの外周には、上下方向に延びる４つのガイドリブ２ａが周方向に等角度ピッチ（９０°ピッチ）で突設されている（図３参照）。ここで、図１に示すように、各ガイドリブ２ａの上半部は幅の広い嵌合部２ａ１を構成しており、下半部は幅が狭いガイド部２ａ２を構成し、このガイド部２ａ１は、本体部２Ｂの下端部に向かって高さが徐々に低くなるよう側面視三角状に形成されている。又、このファスナピン２の本体部２Ｂの周方向に隣接するガイドリブ２ａの間の４つの部位２ｂの下端には、図４に示すように、深さの浅い係合溝２ｂ１が周方向に沿ってそれぞれ形成されている。
【００２８】
又、ファスナピン２の本体部２Ｂの下端からは小径の差込部２Ｃが下方に向かって同心状に一体に延びており、その下端は下方に向かって先細の円錐状に成形されている。そして、この差込部２Ｃの外周にも、前記ガイドリブ２ａに連なる幅の狭い４つのガイドリブ２ｃが一体に立設されている。
【００２９】
そして、本実施の形態においては、図１に示すように、ファスナピン２の本体部２Ｂの周方向に隣接する２つのガイドリブ２ａの間の４つの部位２ｂのうち、相対向する２つには、導電性金属から成る正極と負極のランプ側端子８ａ，８ｂが取り付けられている。尚、２つのランプ側端子８ａ，８ｂは、導線９ａ，９ｂを介して前記基板６に電気的に接続されている。
【００３０】
他方、前記ファスナグロメット３は、硬質樹脂によって一体に成形されており、その上端に形成された円板状のフランジ部３Ａの中心には、図５に示すように、円孔３ａとこの円孔３ａの周縁の周方向４箇所に等角度ピッチ（９０°ピッチ）で形成された矩形の挿入口３ｂが開口している。そして、図１及び図２に示すように、このファスナグロメット３の上端のフランジ部２Ａからは、周方向に等角度ピッチ（９０°ピッチ）で配された４つの弾性片３Ｂが垂直下方に沿って一体に延びている。ここで、各弾性片３Ｂの下端部は若干厚肉に形成されており、その内面には係合爪３ｃがそれぞれ一体に形成されている。尚、４つの弾性片３Ｂの下端部の外接円直径は、パネル４に形成された円孔４ａの内径よりも若干大きく設定されており、４つの弾性片３Ｂの下端部を除く部位（基端部）の外接円直径は、パネル４の円孔４ａの内径よりも若干小さく設定されている。又、ファスナグロメット３のフランジ部３Ａに形成された円孔３ａの内径は、ファスナピン２の本体部２Ｂの外径よりも若干大きく設定されている。
【００３１】
而して、以上のように構成されたファスナグロメット３においては、周方向に隣接する２つの弾性片３Ｂの間には上下方向に長いスリット（隙間）３ｄがそれぞれ形成されるが、各スリット３ｄの上端は、フランジ部３Ａに形成された挿入口３ｂにそれぞれ連通しており、各スリット３ｄの幅は、ファスナピン２の本体部２Ｂの外周に突設されたガイドリブ２ａの上半部の嵌合部２ａ１の幅よりも若干広く設定されている。
【００３２】
又、本実施の形態においては、図１及び図２に示すように、ファスナグロメット３の４つの弾性片３Ｂのうち、相対向する２つには、導電性金属から成る正極と負極の電源側端子１０ａ，１０ｂが各弾性片３Ｂの下端部の内外周面を覆うようにそれぞれ取り付けられている。そして、正極の電源側端子１０ａには、不図示の電源から延びる電源線１１の端部が接続され、負極の電源側端子１０ｂにはアース線１２の一端が接続されている。尚、本実施の形態では、パネル４は非導電性樹脂によって構成されている。
【００３３】
次に、アクセサリランプ１の取付要領を図１及び図２に基づいて以下に説明する。
【００３４】
アクセサリランプ１のパネル４への取り付けに際しては、図１に示すように、ファスナグロメット３がパネル４の円孔４ａに弾性片３Ｂを先にして挿入され、そのフランジ部３Ａがパネル４の上面の円孔４ａの周縁に当接した状態で該ファスナグロメット３がパネル４によって保持される。この状態では、ファスナグロメット３の相対向する２つの弾性片３Ｂに取り付けられた電源側端子１０ａ，１０ｂには電源線１１とアース線１２がそれぞれ接続されている。尚、ファスナグロメット３をパネル４の円孔４ａに挿入する際には、４つの弾性片３Ｂを径方向内方に押し込んでそれらの外接円直径がパネル４の円孔４ａの内径より小さくなるようにする。
【００３５】
上記状態から、アクセサリランプ１が固定されたファスナピン２を細い差込部２Ｃを先にしてファスナグロメット３のフランジ部３Ａに形成された円孔３ａに差し込む。尚、このとき、ファスナピン２に突設された各４つのガイドリブ２ａ，２ｃがファスナグロメット３のフランジ部３Ａに開口する４つの挿入口３ｂに合致するようファスナピン２をファスナグロメット３に対して周方向に位置決めする。
【００３６】
すると、ファスナピン２の各４つのガイドリブ２ａがファスナグロメット３に形成された４つの各スリット３ｄにそれぞれ嵌合し、ファスナピン２がアクセサリランプ１と共にファスナグロメット３の内部に差し込まれる。この場合、ファスナグロメット３の各弾性片３Ｂの下端部内面に突設された係合爪３ｃがファスナピン２の本体部２Ｂの外面に当接するため、各弾性片３Ｂが径方向外方にそれぞれ押し広げられる。
【００３７】
而して、ファスナピン２がアクセサリランプ１と共にファスナグロメット３の内部の所定の位置まで差し込まれると、図４に鎖線にて示すように、各弾性片３Ｂの内面に形成された係合爪３ｃがファスナピン２の本体部２Ｂの外周面に形成された係合溝２ｂ１に係合するため、ファスナピン２とこれに固定されたアクセサリランプ１がファスナグロメット３に固定されるとともに、ファスナグロメット３の４つの弾性片３Ｂが前述のように径方向外方へと押し広げられて該ファスナグロメット３のパネル４からの抜けが防がれるため、アクセサリランプ１がファスナピン２とファスナグロメット３を介してパネル４に確実に取り付けられる。
【００３８】
又、上述のようにファスナピン２とアクセサリランプ１がファスナグロメット３に差し込まれて固定されると同時に、ファスナピン２の相対向する２箇所に設けられたランプ側端子８ａ，８ｂがファスナグロメット３の相対向する２つの弾性片３Ｂに取り付けられた電源側端子１０ａ，１０ｂに接触して両者が電気的に導通するため、アクセサリランプ１への電源の供給が可能となる。
【００３９】
以上のように、本発明に係るアクセサリランプ１の取付構造によれば、アクセサリランプ１が固定されたファスナピン２を、パネル４の円孔４ａに挿入保持されたファスグロメット３に差し込むだけの簡単な作業によってアクセサリランプ１をファスナピン２とファスナグロメット３を介してパネル４に作業性良くワンタッチで簡単に取り付けることができる。そして、アクセサリランプ１を交換する場合等においては、アクセサリランプ１をファスナピン２と共にファスナグロメット３から容易に取り外すことができる。
【００４０】
又、アクセサリランプ１の取り付けと同時に、ファスナピン２に設けられたランプ側端子８ａ，８ｂとファスナグロメット３に設けられた電源側端子１０ａ，１０ｂとが接触して両者が導通し、アクセサリランプ１への電源の供給が可能となるため、従来用いられていたアクセサリランプ１から延びる電源コードが不要となり、アクセサリランプ１の小型化が図られるとともに、電源コードをパネル４の孔４ａに通す等の面倒な作業を要することなく、アクセサリランプ１をパネル４に作業性良く簡単に取り付けることができる。
【００４１】
尚、本実施の形態では、ファスナピン２とファスナグロメット３にランプ側端子８ａ，８ｂと電源側端子１０ａ，１０ｂをそれぞれ２つ設けたが、これらのランプ側端８ａ，８ｂ…と電源側端子１０ａ，１０ｂ…の数は任意であって、これらをファスナピン２のガイドリブ２ａ間の端子ランプ側端子８ａ，８ｂ…、ファスナグロメット３の弾性片３Ｂと共に各３つ以上設けても良い。
【００４２】
又、以上の実施の形態では、ランプ側端子８ａ，８ｂと電源側端子１０ａ，１０ｂをそれぞれファスナピン２とファスナグロメット３の周方向に配置したが、ファスナピン２とファスナグロメット３にランプ側端子８ａ，８ｂ…と電源側端子１０ａ，１０ｂ…をそれぞれ軸方向に適当な間隔で複数設け、複数の電源側端子１０ａ，１０ｂ…を周方向の所定範囲に亘って配置すれば、ファスナピン２のファスナグロメット３に対する周方向の位置決めを要することなく、該ファスナピン２に設けられたランプ側端子８ａ，８ｂ…とファスナグロメット３に設けられた電源側端子１０ａ，１０ｂ…とを確実に接触させて両者を電気的に導通させることができ、アクセサリランプ１の取付作業が一層簡単化される。
【００４３】
ところで、以上の実施の形態では、パネル４が非導電性樹脂によって構成されている場合について説明したが、パネル４が不図示の車載バッテリの負極と導通する導電性金属で構成されている場合には、アクセサリランプ１を取り付けると、ファスナグロメット３に設けられた負極の電源側端子１０ｂがパネル４の円孔４ａの内周に接触して電流がパネル４へと流れるため、負極の電源側端子１０ｂに接続されるアース線１２（図１及び図２参照）が不要となり、構造の単純化と結線作業の省力化が図られる。
【００４４】
又、ファスナグロメット３の弾性片３Ｂのうち、電源側端子１０ａ，１０ｂが設けられていないものに放電部材を取り付ければ、アクセサリランプ１のＬＥＤ７の点灯によって発生する熱を、ファスナグロメット３の弾性片３Ｂに取り付けられた放熱部材から効果的に放熱させることができ、アクセサリランプ１の温度上昇を抑えてＬＥＤ７の明るさをあげたり、耐久性を高めることができる。
【００４５】
更に、アクセサリランプ１の光源として、発光色の異なる複数のＬＥＤを用いれば、複数のＬＥＤを同時に点灯させてアクセサリランプ１を複数の色に発光させたり、互いに導通する端子を切り替えて所望の色に発光させることができる
【符号の説明】
【００４６】
１              アクセサリランプ
２              ファスナピン
２ｂ１          ファスナピンの係合溝
３              ファスナグロメット
３Ｂ            ファスナグロメットの弾性片
３ｃ            ファスナグロメットの係合爪
４              パネル
４ａ            パネルの円孔（孔）
５              レンズ
６              基板
７              ＬＥＤ（光源）
８ａ，８ｂ      ランプ側端子
９ａ，９ｂ      導線
１０ａ，１０ｂ  電源側端子
１１            電源線
１２            アース線
【図１】
2015222647.tif 000003
【図２】
2015222647.tif 000004
【図３】
2015222647.tif 000005
【図４】
2015222647.tif 000006
【図５】
2015222647.tif 000007
【図６】
2015222647.tif 000008